(57)【要約】  本発明は、少なくとも１個の開口部を備えたノズルヘッドおよび生物活性組成物のスプレー液滴を得るための少なくとも１個の開口部を通じて該生物活性組成物をポンプ輸送するためのポンプを備える生物活性組成物を送達するためのデバイス、このようなデバイスで使用するプレート、生物活性組成物およびこのようなプレートを含むキット、生物活性組成物を送達するためのこのようなデバイスの使用、およびこのようなデバイスによる生物活性組成物を含む液滴の作成方法に関する。
2008501458.tif 000002
【特許請求の範囲】
【請求項１】
生物活性組成物を送達するためのデバイスであって、
前記デバイスは、少なくとも１個の開口部（１０）を備えたノズルヘッド（１）、および前記組成物の液滴のスプレーが得られるように前記少なくとも１個の開口部（１０）を通じて前記生物活性組成物をポンプ輸送するためのポンプを有し、
前記少なくとも１個の開口部（１０）の直径および前記ポンプの作動圧は、前記ポンプの作動時に、前記生物活性組成物が前記少なくとも１個の開口部（１０）から液滴に砕ける噴射の形で放出されるようなものであることを特徴とする
前記デバイス。
【請求項２】
前記少なくとも１個の開口部（１０）の直径が５０から５００μm、好ましくは６５から４００μm、さらに好ましくは７５から３００μm、さらにより好ましくは１００から２００μmの範囲内にある請求項１に記載のデバイス。
【請求項３】
前記作動圧が０．１から１．５バール、好ましくは０．２から１．０バールの範囲内にある請求項１または２に記載のデバイス。
【請求項４】
前記ノズルヘッド（１）が複数の開口部（１０）を備えている請求項１から３のいずれか１項に記載のデバイス。
【請求項５】
前記開口部（１０）がノズルヘッド（１）の外周の一部に沿って配置されている請求項４に記載のデバイス。
【請求項６】
前記ノズルヘッド（１）がワクチンのある量を保持するためのチェンバー（３）を備え、前記開口部（１０）がこのチェンバー（３）と通じている請求項１から５のいずれか１項に記載のデバイス。
【請求項７】
持ち運び可能な請求項１から６のいずれか１項に記載のデバイス。
【請求項８】
前記ノズルヘッド（１）がノズルヘッド（１）にまたはノズルヘッド（１）上に取り外し可能に装着されたプレート（７）を備え、前記少なくとも１個の開口部（１０）がこのプレート（７）の一部である、請求項１から７のいずれか１項に記載のデバイス。
【請求項９】
生物活性組成物を田畑、土壌、植物または農作物へ送達するための、請求項１から８に記載のデバイスの使用。
【請求項１０】
プレート（７）がノズルヘッド（１）にまたはノズルヘッド（１）上に取り外し可能に装着されている（８，９）、およびプレート（７）が少なくとも１個の開口部（１０）を備えている、請求項８に記載のデバイスに使用するプレート。
【請求項１１】
前記少なくとも１個の開口部（１０）の直径が５０から５００μm、好ましくは６５から４００μm、さらに好ましくは７５から３００μm、さらにより好ましくは１００から２００μmの範囲内にある請求項１０に記載のプレート（７）。
【請求項１２】
生物活性組成物、好ましくは殺虫剤、防カビ剤、除草剤、植物成長抑制剤またはワクチン、特に家禽用ワクチン、および請求項１０または１１に記載のプレート（７）を含むキット。
【請求項１３】
請求項１から８に記載のデバイスを介して当該組成物を処理することを特徴とする、生物活性組成物を含む液滴の調製方法。
【発明の詳細な説明】
【技術分野】
【０００１】
本発明は、少なくとも１個の開口部を備えたノズルヘッドおよび生物活性組成物のスプレー液滴を得るための少なくとも１個の開口部を通じて該生物活性組成物をポンプ輸送するためのポンプを備える生物活性組成物を送達するためのデバイス、このようなデバイスで使用するプレート、生物活性組成物およびこのようなプレートを含むキット、生物活性組成物を送達するためのこのようなデバイスの使用、およびこのようなデバイスによる生物活性組成物を含む液滴の作成方法に関する。
【背景技術】
【０００２】
生物活性物質の適用が必要とされるいくつかの産業分野において、スプレー技術が適用される。様々な分野でのスプレー利用の数例を以下に記載する。
【０００３】
農業分野では、作物保護においてスプレー技術が頻繁に用いられる。スプレーは、処理される田畑、土壌、植物、農作物に対する、殺虫剤、防カビ剤、除草剤、植物成長抑制剤などの生物活性組成物の迅速な適用方法である。
【０００４】
そのような適用での極めて大きな液滴（直径１，０００ミクロンを超す液滴）の使用は、生物活性組成物が非常に高濃度の場所と生物活性組成物が存在しない場所ができ、組成物の分布が不均一となるので魅力的ではない。
【０００５】
極めて小さな液滴での使用によって、組成物の非常に均一な分布が得られるが、風などの外的要因によって噴霧量の大部分が容易に吹き飛ばされ得るという欠点がある。このことは、環境という観点からのみであっても、非常に不利である：必要ではないまたは望まない場所に生物活性組成物が運ばれ得る。さらに、小さな液滴は表面積対容積比が非常に高く、このため蒸発速度は大気湿度に大きく左右される。
【０００６】
所定のサイズの液滴が得られる場合でさえ、スプレーに使用される大半のノズルは、非常に広いベースを有するベル型曲線に従った統計的サイズ分布の液滴を与える。したがって、液滴のかなりの部分は大き過ぎるか、小さ過ぎる。
【０００７】
このことを考慮して、スプレー目的では、等しいサイズの液滴が望ましいことは明らかである。液滴サイズは、土壌への適用または農作物の葉への適用といった特定の使用に適合可能であり、例えば風力または湿度で補うことが可能である。しかし、このような等しいサイズの液滴を得ることは困難である。
【０００８】
この問題に対処するいくつかの方法が従来技術に記載されているが、それらは、高圧システム、電気部品および／または可動部品を有する複雑で高価なノズル、またはこの２つの組み合わせに依存している。
【０００９】
米国特許第５，５１８，１８３号には、円錐状プラグおよびシート内の溝の列（水路）を備えるノズルが記載されている。そのようなデバイスは、目的の液滴サイズを形成するために比較的高い圧力［＞４０ｐｓｉ（＞２．６バール）］を必要とし、溝のサイズが非常に小さいため、製造が複雑である。
【００１０】
英国特許出願ＧＢ  ２  ２０６  ０６３に記載されているような他のスプレーシステムでは、ほぼ等しいサイズの液滴を得るために、斜めの放出チューブが配置されている比較的複雑なノズルを使用する。他のノズルでも、例えばＰＣＴ出願ＷＯ  ９９／２５４８２に記載されているものは保護カバー内に可動式に取り付けられた測定ロッドを使用した複雑な変流量コントロールデバイスを、または、ＷＯ  ２００４／２３８６５では移動測定ユニットおよび可とうスプレーチップを使用する。これらのノズルでは、液滴サイズを変えられることが液滴サイズの均一性よりも重要である。
【００１１】
したがって、既知の全てのノズルはより小さな、または大きな液滴を与えるが、液滴サイズには比較的大きな広がりがある。この広がりは、複雑なノズルデザインを使用して、少なくとも部分的に縮小できるだけである。
【００１２】
家畜育種、特に家禽育種では、家畜へのワクチン投与のためにスプレー技術が使用される場合が多い。
【００１３】
国際特許出願ＷＯ  ００／０４９２０は、有効量の腸内病原菌の生きた無毒性派生株を家禽にスプレーすることによる家禽のワクチン接種方法に関する。ＷＯ  ００／０４９２０（Ｐ８、２２行目以下参照）には、「粗スプレーとしてのワクチンまたは免疫原組成物の投与によって、スプレー液滴が体表面に接触可能になるが、一方呼吸器系に吸入されるワクチン量が最小限にできると考えられる。これは、液滴の直径が約４０ミクロン未満のエアロゾルと一般に称される微細な液滴またはミストのスプレーとは区別すべきである。エアロゾルスプレーとは異なり、本発明の粗スプレーは深く吸入されず、一部のスプレーワクチン接種で認められる呼吸器感染症の発症を回避するのに役立つと考えられ・・・スプレーが約１２ミクロン未満のサイズ範囲の液滴を、約１％未満含むことが好ましい。」と記載されている。
【００１４】
ＷＯ  ００／０４９２０にはさらに、ワクチン投与に使用されるスプレー器具の種類は重要ではなく、粗スプレーを分注可能なほぼ全種類のスプレーワクチン器具が使用可能であると記載されている。特に米国特許第４，３１６，４６４号および米国特許第４，４４９，９６８号を参照する。
【００１５】
米国特許第４，３１６，４６４号は、初生雛をオープン・トップ・コンテナに入れて（米国特許第４，３１６，４６４号の図面Ｎｏ．３２）、コンテナをオープン・エンド・キャビネットに移す（１８）、家禽へのワクチン接種方法に関する。コンテナのキャビネット内への移動に反応して、ワクチン１ドースがサプライ（５６）から引き出され、圧力チェンバーに送られ（４１）、圧力チェンバーへのワクチンの送達に反応して、圧力チェンバーから、キャビネット上部において支えられた少なくとも２個のノズル（４２）を通じてワクチンのドースを放出するために、空気圧が圧力チェンバーにも送られる。ノズルから放出されたスプレーは、雛が吸入するほど長期間にわたって空気中に残ることなく、大部分がコンテナ内の雛に落ちる程度に大きな液滴サイズであることが、米国特許第４，３１６，４６４号に述べられている。開示された実施形態でのノズル（４２）は、約８０度の角度でのコニカル・スプレー・パターンに対して、直径約０．０３９インチ（１mm未満）のノズルの喉を有する。約３５ｐｓｉ（２．４バール以下）の背圧で、粘度が水と同程度のワクチンが、約１ガロン／時間の速度でノズルを通して移動する。
【００１６】
米国特許第４，４４９，９６８号は、複数の雛をオープン・トップ・コンテナ内に置いて、コンテナが少なくとも１個のスプレーノズルの下に置かれるまで経路に沿ってコンテナを移動させ、少なくとも８０％が直径約９０ミクロン‐１９０ミクロンの範囲である液滴で雛の目の上部および目の中にノズルから下方にワクチンスプレーを放出することを含む、家禽へのワクチン接種方法に関する。米国特許第４，３１６，４６４号およびその一部継続米国特許第４，４４９，９６８号では、この範囲の液滴は高圧（２．４バール）および直径１mmの大型開口部を有するノズルを使用してのみ得ることができる。
【００１７】
米国特許第４，６７４，４９０号は、モーターで駆動される回転盤などの運動エネルギーノズルを備えた、１日齢雛などの対象へのエアロゾル予防接種用器具に関する。
【発明の開示】
【発明が解決しようとする課題】
【００１８】
本発明の目的は、液滴サイズが明確に規定されているだけでなく、非常に小さなサイズ範囲内の液滴サイズを有する液滴を生成するデバイスを提供することである。スプレー、特にスプレーワクチン接種での微細な液滴およびエアロゾルのさらなる減量を可能にすることが本発明の利点の１つである。
【課題を解決するための手段】
【００１９】
この目的を達成するために、液滴に砕ける噴射の形で、少なくとも１個の、好ましくは環状の開口部から組成物を放出するのに充分低い圧力で生物活性組成物のポンプ輸送を行う。
【００２０】
開口部に直接スプレーを形成する代わりに、表面張力の影響下で徐々に液滴に砕けるまで噴射放出することによって、微細液滴およびエアロゾルをさらに減量可能である。
【００２１】
当該圧力は試行錯誤によって迅速に設定でき、開口部の直径および生物活性組成物の特性、特に粘性、およびより少ない程度に開口部の長さと形状に依存するが、２．４バール前後の圧力は必要でなく、通常、２バール以下の圧力で充分である。通常、圧力は０．１‐１．５バールの範囲内であるのが好ましく、０．２‐１．０バールが好ましい。既定の圧力は、大気圧と比較して過剰圧力と理解される。例えば０．１バールの低圧力は小ポンプを使用して得ることができるが、ノズルを備えるデバイスの１メートル上にスプレーされる組成物を含む容器を置くことによってさえ得ることができる。重力は当該低圧力を与えるのに充分である。したがって本発明の目的のために、重力の使用という選択肢を「ポンプの使用」に含めることが考えられる。
【００２２】
したがって、本発明は、少なくとも１個の開口部を備えたノズルヘッドおよび生物活性組成物のスプレー液滴を得るための少なくとも１個の開口部を通じて該生物活性組成物をポンプ輸送するためのポンプを備える生物活性組成物を送達するためのデバイスに関し、このデバイスは、少なくとも１個の開口部の直径およびポンプの作動圧が、ポンプ作動時に、少なくとも１個の開口部から液滴に砕ける噴射の形で生物活性組成物が放出される特徴を有する。
【００２３】
本発明によるデバイスのさらに重要な利点は、以下で説明されるように、デバイスの構造のため開口部の外側の剪断力が他のデバイスと比較して非常に低い。これによって、このデバイスは、ウイルスを含むワクチンのみでなく、生きた細菌、さらには生きた寄生虫を含むワクチンによるワクチン接種にも非常に適する。比較的大きな細菌およびさらに大きな寄生虫は、このような剪断力に非常に弱い。１例に過ぎないが：細菌を効率良く破壊するために使用されるフレンチプレスは、基本的に、高圧下で小さな開口部を通して細菌を押圧する器具からなる。本発明によるデバイスでは、上述の通り、ワクチンが少なくとも１個の開口部から液滴に砕ける噴射の形で放出されるため、この問題に悩まされることはない。
【００２４】
この観点において、本デバイスの低剪断力のもう１つの重要な利点は、生きた、おそらくは弱毒化されたウイルス、細菌、寄生虫を含むワクチンの凍結乾燥でのその使用にある。本発明によるデバイスは、真空チェンバーに生物活性組成物を容易に送達できる。この方法で送達された生物活性組成物のウイルス、細菌または寄生虫は、剪断力による攻撃をほとんどまたは全く受けず、液滴サイズは非常に狭いバンドギャップ内に分布するので、組成物（の成分）に対する損傷はほとんどまたは全くないことを保証し、同程度の乾燥時間および同程度に分散した最終生成物を保証する。
【００２５】
これらの利点を最大限に得るために、少なくとも１個の開口部の直径が５０‐５００μm、好ましくは６５‐４００μm、さらに好ましくは７５‐３００μm、さらにより好ましくは１００‐２００μmの範囲内にあることが好ましい。
【００２６】
液滴の１０％未満、好ましくは５％未満、さらに好ましくは２％未満が１００μm未満の直径を有する液滴のスプレーを得るために、圧力は充分に低いことがさらに好ましい。したがって、本実施形態のより好ましい形では、デバイスの作動圧は０．１‐１．５バールの範囲内であり、さらにより好ましくは、加圧の下限は優先順に０．２、０．３、０．４または０．５バールであり、加圧の上限は優先順に１．３バール、１．２、１．１、１．０、０．９または０．８バールである。
【００２７】
加えられた低圧力のため、単位時間当たり、１個の開口部あたりのスプレーできる生物活性組成物の量は比較的少ない。この問題は、複数の開口部を有するノズルヘッドを備えることで容易に解決可能である。
【００２８】
開口部の数は、ノズルの使用に左右される。例えば農作物の広い面積へのスプレー用にノズルを使用する場合、短時間で広い面積へのスプレーが可能になるので、各１００‐５００個の開口部を有する複数のノズルヘッドが好ましい。したがって、本実施形態のさらにより好ましい形では、ノズルヘッドは複数の開口部を備える。
【００２９】
ワクチン接種の目的でノズルヘッドが使用する場合、開口部の数は５‐１００個の範囲が好ましく、さらに好ましくは１０‐６０個の範囲である。
【００３０】
ノズルヘッドが複数の開口部を備える場合、開口部はノズルヘッドの外周の一部に沿って配置されることがさらに好ましい。したがって、例えば６０度以上に及ぶスプレーを得ることができ、これによってワクチン接種手順の効率が大幅に高められる。
【００３１】
したがって、本実施形態の最も好ましい形では、複数の開口部がノズルヘッドの外周の一部に沿って配置される。
【００３２】
上述の好ましい形に加えて、本発明によるデバイスでは、ノズルヘッドがワクチンのある量を保持するためのチェンバーを備え、開口部がこのチェンバーと通じていることが好ましい。
【００３３】
本発明によるデバイスは、例えば殺虫剤の散布などの農業での大規模な適用では、トラクターなどの車両に装着することが好ましいであろう。それが本発明による複数のデバイスを備えるからである。集団予防接種では、デバイスを小型車両に装着することができよう。小規模な適用、例えば家禽の箱へのスプレーでは、手持ち型のデバイスがより便利であろう。したがって、好ましい実施形態では、デバイスは持ち運び可能である。無論、２個以上のノズルヘッドを備えることも可能であるが、それは少なくとも人によって運搬可能である。
【００３４】
本発明のもう１つの実施形態は、ノズルヘッドに取り外し可能に装着することのできるプレートに関し、当該プレートは少なくとも１個の開口部を備える。液滴の明確に規定された範囲の、狭いサイズバンド内の液滴を得るという所望の効果は、比較的薄いプレートを使用することで最も良く得られる。厚いプレートを使用する場合、開口部の形状はチューブ状になる。開口部の直径は、開口部の長さと比較して、必然的に小さくなる。これは開口部の壁に沿った望ましくない乱れを招き、開口部の外側で液体の剪断が生じ、不明確なサイズの液滴スプレーとなる。
【００３５】
したがって、好ましい形では、プレートは１mmを超えない厚さを有する。さらに好ましくは、プレートの厚さは０．１‐０．８mmの範囲内である。
【００３６】
本実施形態のさらに好ましい形では、少なくとも１個の開口部が５０‐５００μm、好ましくは６５‐４００μm、さらに好ましくは７５‐３００μm、さらにより好ましくは１００‐２００μmの範囲の直径を有する。
【００３７】
本発明のもう１つの実施形態は、生物活性組成物、好ましくは殺虫剤、防カビ剤、除草剤、植物成長抑制剤、またはワクチン、特に家禽用ワクチン、およびこのようなプレートを含むキットに関する。したがって、プレートおよびプレートの開口部はキット内の生物活性組成物に適合可能であり、および／またはプレートは使用後に処分可能であり、プレート洗浄の必要を省き、プレートの汚染または目詰まりおよび他の生物活性組成物との併用を防ぐ。
【００３８】
本発明のもう１つの実施形態は、生物活性組成物を植物、農作物または土壌へ送達するための、本発明によるデバイスの使用に関する。
【００３９】
本実施形態の好ましい形において、生物活性組成物は殺虫剤、防カビ剤、除草剤または植物成長抑制剤である。
【００４０】
本発明のもう１つの実施形態は、生物活性組成物を含む液滴の調製方法に関し、当該方法は、本発明によるデバイスを介して当該組成物を処理することを含むことを特徴とする。
【００４１】
本発明を、現在での好適な実施形態を模式的に示す図面を参照して詳細に説明する。
【００４２】
図１は本発明によるノズルヘッドの側面図である。
図２および図３は、それぞれ図１のノズルヘッドの垂直断面図および水平断面図である。
図４は図１のノズルヘッドで使用されるノズルプレートの前面図である。
【００４３】
図１から３は、本発明による生物活性組成物のスプレー用ノズルヘッド１を示し、好ましくは殺虫剤、防カビ剤、除草剤および植物成長抑制剤の散布用または家畜、特に鶏などの家禽のワクチン接種用である。このノズルヘッド１は、実質的に円筒型の外壁２を有し、液体ワクチンを保持するためのチェンバー３を収容し、チェンバー３はサプライに取り付け可能な内部ねじ込みインレット（例えば、外部ねじ込み固定中空管で、これはフレキシブル・ホースを介して携帯用タンクに接続される）を備えている。タンクは手動式ポンプを備え、動作可能なように手持ち式バルブに接続されており、このバルブは、従来知られている仕方で、例えばホースとチューブの接触面に位置する。チェンバー３は、湾曲した（上部から見た場合）放出開口部５も有し、これはゴム輪などのガスケットを受ける溝６に囲まれている（図示せず）。スプレー中、放出開口部は、図４に示される、長さと高さが例えば４ｘ２cmの弾力性のあるプレート７で覆われる。プレート７をノズルヘッド１に装着可能にするために、この例では、ノズルヘッド１はその左側にスロット８、右側にピン９を備える。プレート７はその左端をスロット８に引っ掛け、右端がピン９の後ろにはまるまでプレート７を曲げ、プレート６を外すことで取り付け可能であり、次に上記のガスケットに密封するようにそれ自体を引っ張る。
【００４４】
プレート７の厚さは、好ましくは０．１から０．８mmの範囲内であり、この例では０．５mmで、複数の円形の開口部１０を備える（例えば、１．５mm間隔のねじれ型１１内に配置された３８個の開口部）。開口部の直径は５０から３００μmの範囲内であり、例えば１５０μmであり、およびプレートの厚さに対応する長さを有する。場合によって、開口部１０はフラスト・コニカル・リード・インセクション（ｆｒｕｓｔｏ‐cｏｎｉcａｌ  ｌｅａｄ‐ｉｎｓｅcｔｉｏｎ）を備えることができる。
【００４５】
プレート７が取り付けられると、パターン１１は約８０度の円弧にわたる。
【００４６】
ノズルヘッドは、ステンレス鋼などの金属製、またはＰＥまたはＰＯＭなどの射出成形ポリマー製であることが好ましい。プレートもステンレス鋼またはポリマー製であること好ましく、他方開口部はレーザー切断で製造することが好ましい。
【００４７】
使用中、上記のタンクを、生物活性組成物、好ましくは殺虫剤、防カビ剤、除草剤、植物成長抑制剤またはワクチンを含む液体（通常は水）で満たし、液滴の広がる距離に応じて（高圧により広がりは大きくなる）、手動式ポンプによって０．２‐１．０バールの範囲の圧力に加圧する。タンクは操作者の背中に装着する。手持ち式バルブを開くことでワクチン接種を行い、例えば約３００mＬ／分の流量でワクチンを放出させ、例えば農作物や芝生に除草剤を散布するのと同様に、ゆっくりと前進しながらノズルヘッドを繰り返し左右に動かす。したがって、養鶏場全体を比較的迅速かつ効率的にワクチン接種することができる。
【実施例】
【００４８】
実験室試験によって、ワクチンが開口部から噴霧放出されることが示され、約２‐４cmの距離で徐々に液滴に砕ける。
【００４９】
本発明によるデバイスを使用した１回目の実験では、プレートの厚さ０．５mm、圧力０．５バールで、粒子サイズ測定用のＳＹＭＰＡＴＥＣ  ＨＥＬＩＯＳ  ＫＦ／ＭＡＧＩＣを使用して、用いた開口部の直径（５０、１００、１５０μm）に関して、粒子サイズの分布の概算を行った。データを図５に示す。本図から直ぐに判るように、粒子サイズの分布は、使用する開口部のサイズによく相関する狭いバンドギャップ内にあり、加えて、サイズが１００、２００mm未満の粒子の寄与は実際には極めて低い。
【００５０】
本発明によるデバイスを使用した２回目の実験では、圧力０．５バール、プレートの厚さ０．５mm、開口部の直径１５０μmで、再びＳｙmｐａｔｅc  Ｈｅｌｉｏｓ  ＫＦ／mａｇｉcを使用し、開口部から１０cmおよび５０cmの距離で正確に測定された粒子サイズ分布（Ｑ３／％）を２０℃、空気湿度７５％で測った。データを図６（距離１０cm）および図７（距離５０cm）に示す。
【００５１】
図６から、デバイスから１０cmでは、０．００％の液滴の直径が２５０μm未満であり、液滴の平均サイズは５００から６００μmの間であることが分かる。
【００５２】
図７から、デバイスから５０cmでは、０．００％の液滴の直径が２１０μm未満であり、液滴の平均サイズは５００‐６００μmということがわかる。図６、７の液滴間での（わずかな）差は、液滴の通常の蒸発に起因する。
【００５３】
本発明によるデバイスによって、殺虫剤、防カビ剤、除草剤および植物成長抑制剤などの生物活性組成物を、本発明による簡単で安価なデバイスを使用して、低圧力で、同時に均一かつ明確に規定されたサイズの液滴を提供しつつ、処理すべき田畑や農作物に与えることができる。ワクチン接種の目的では、本発明によるデバイスを使用して、鶏の呼吸器系に吸入されるワクチンの量、および吸入されたワクチンの残留毒性に起因する呼吸組織に対する損傷を一層軽減、さらには回避する。さらなる利点は、一部の環境下では、通常ワクチン接種中になされるようなワクチン接種実施農場の換気を遮断する必要がないことにある。
【００５４】
本発明は、上記の実施形態に限定されず、特許請求の範囲内で様々な形で変化しうる。例えば、手動式ポンプを使用する代わりに、電気モーター駆動ポンプなどの他のポンプも適する。さらに、ワクチン接種の目的では、モバイル機器の一部である代わりに、ノズルヘッドは固定装着の一部であることができ、これを通じてワクチン接種される動物を輸送できる。
【図面の簡単な説明】
【００５５】
【図１】本発明によるノズルヘッドの側面図である。
【図２】図１のノズルヘッドの垂直断面図である。
【図３】図１のノズルヘッドの水平断面図である。
【図４】図１のノズルヘッドで使用されるノズルプレートの前面図である。
【図５】用いた開口部の直径（５０、１００、１５０μｍ）に関して、粒子サイズの分布を示す。
【図６】開口部から１０ｃｍの距離で正確に測定された粒子サイズ分布を示す。
【図７】開口部から５０ｃｍの距離で正確に測定された粒子サイズ分布を示す。
【図１】
2008501458.tif 000003
【図２】
2008501458.tif 000004
【図３】
2008501458.tif 000005
【図４】
2008501458.tif 000006
【図５】
2008501458.tif 000007
【図６】
2008501458.tif 000008
【図７】
2008501458.tif 000009
【国際調査報告】
2008501458.tif 000010
2008501458.tif 000011